(57)【要約】      （修正有）【課題】外観が損なわれることがないように構成した、バッファローの角や亀の甲羅を材料として加工したメガネフレームのフロント部を提供する。【解決手段】フロント部１の外側部３に切口７を設け、リム部２の周長が拡大し、切口７を開口することが出来るように構成する。外側部３の表面には凹溝４を設け、凹溝４の底面６には所定の間隔をおいて２つの穴５ａ、５ｂを貫通し、外側部３には概略Ｌ形のヨロイが取付けられる。【選択図】図１
0003232703.tif 000002
【実用新案登録請求の範囲】
【請求項１】
バッファロー、ヤギ、ひつじ、トナカイなどの動物の角、及び亀の甲羅を材料として加工したメガネフレームのフロント部において、該フロント部の外側部には切口を設けてリム部の周長が拡大する為に該切口を開口すること出来るように構成し、外側部の表面には凹溝を設け、凹溝の底面には所定の間隔をおいて２つの穴を貫通し、外側部には概略Ｌ形のヨロイが取付けられ、ヨロイの表面部は上記凹溝に篏合してネジ止したことを特徴とするバッファローの角や亀の甲羅を材質としたメガネフレームのフロント部。
【請求項２】
バッファロー、ヤギ、ひつじ、トナカイなどの動物の角、及び亀の甲羅を材料として加工したメガネフレームのフロント部において、該フロント部の外側部には切口を設けてリム部の周長が拡大する為に該切口を開口すること出来るように構成し、外側部の表面には凹溝を設け、凹溝の底面には所定の間隔をおいて２つの穴を貫通し、外側部には概略Ｌ形のヨロイが取付けられ、そしてヨロイの表面部には２本のネジパイプが起立し、上記表面部が凹溝に嵌ると共にネジパイプは上記穴に挿通し、外側部の背面側からネジを挿入し、ネジパイプのネジ穴に螺合したことを特徴とするバッファローの角や亀の甲羅を材質としたメガネフレームのフロント部。
【請求項３】
バッファロー、ヤギ、ひつじ、トナカイなどの動物の角、及び亀の甲羅を材料として加工したメガネフレームのフロント部において、該フロント部の外側部には切口を設けてリム部の周長が拡大する為に該切口を開口すること出来るように構成し、外側部の表面には凹溝を設け、凹溝の底面には所定の間隔をおいて２つの穴を貫通し、外側部には概略Ｌ形のヨロイが取付けられ、ヨロイ表面部を凹溝に嵌合し、そして外側部の背面には背面板を配置すると共に背面板には２本のネジパイプを起立し、ネジパイプは上記穴に挿通すると共にヨロイ表面部からネジを挿通してネジ穴に螺合したことを特徴とするバッファローの角や亀の甲羅を材質としたメガネフレームのフロント部。
【請求項４】
バッファロー、ヤギ、ひつじ、トナカイなどの動物の角、及び亀の甲羅を材料として加工したメガネフレームのフロント部において、該フロント部の外側部には切口を設けてリム部の周長が拡大する為に該切口を開口すること出来るように構成し、外側部の表面には凹溝を設け、凹溝の底面には所定の間隔をおいて２つの穴を貫通し、外側部には概略Ｌ形のヨロイが取付けられ、そしてヨロイの表面部を上記凹溝に篏合し、表面部から挿入したネジが穴を貫通して外側部の背面側に突出したネジ先端部にナットを螺合して締め付けたことを特徴とするバッファローの角や亀の甲羅を材質としたメガネフレームのフロント部。
【考案の詳細な説明】
【技術分野】
【０００１】
本考案は、バッファローの角や亀の甲羅など、非金属であって、熱膨張率が小さい材質を用いて加工したメガネフレームのフロント部に関するものである。
【背景技術】
【０００２】
図４は一般的な樹脂製のメガネフレームを表している。該メガネフレームはフロント部（イ）とその両側にツル（ロ）、（ロ）が取付けられ、該ツル（ロ）、（ロ）は蝶番などの継手を介して折畳み出来るように成っている。フロント部（イ）は両リム部（ハ）、（ハ）を有し、両リム部（ハ）、（ハ）は連結部（ニ）によって左右対称に繋がれ、リム部（ハ）、（ハ）には連結部（ニ）の下側に鼻当てパット（ホ）、（ホ）を形成している。
【０００３】
フロント部（イ）は金型に樹脂を射出成形して一体的に形成され、リム部（ハ）、（ハ）には所定のレンズ（ヘ）、（ヘ）が嵌められる。ツル（ロ）も同じく金型に樹脂を射出して成形される。
ところで、樹脂製メガネフレームのリム部（ハ）、（ハ）に金属製メガネフレームのように開くことが出来る切口はなく、その為にレンズ（ヘ）、（ヘ）をリム部（ハ）、（ハ）に嵌める場合にはフロント部（イ）を加熱して膨張させ、リム部（ハ）、（ハ）を柔らかくする。柔らかくなったリム部（ハ）、（ハ）にレンズ（ヘ）、（ヘ）を押し込むことで嵌められる。
【０００４】
しかし、樹脂製のメガネフレームに似かよった材質として、バッファローの角を用いて製作した高級なフレームが知られている。該バッファローの角は、熱膨張率が小さくて、柔らかくならず、加熱してもリム部の周長が拡大してレンズを嵌めることは出来ない。他にも亀の甲羅（ベッコウ）を切削加工してメガネフレームのフロント部やツルを製作することは可能であるが、該ベッコウで形成されるフロント部（イ）のリム部（ハ）にレンズを嵌めることは容易でない。
【０００５】
このような材質で構成されるメガネフレームの場合、リム部にレンズを嵌める為に、金属製フレームの場合と同じくスリット（切口）を設け、その一部が開口するように切欠くことが必要になる。しかし、フロント部の両外側部を切欠いてリム部が開口できるようにする場合、リム部（ハ）の正面には切口が表面化する。外観が重要視されるメガネフレームにとって、フロント部正面に表面化する切口は外観を損ねてしまう。
【考案の開示】
【考案が解決しようとする課題】
【０００６】
このように、バッファローの角を材質として製作したメガネフレーム、また、亀の甲羅（ベッコウ）切削加工したメガネフレームには上記のごとき問題がある。
本考案が解決しようとする課題はこの問題点であり、外観が損なわれることがないように構成したバッファローの角やベッコウを材質としたメガネフレームのフロント部を提供する。
【課題を解決するための手段】
【０００７】
本考案に係るメガネフレームはフロント部と両ツルを有し、フロント部はバッファローの角、ヤギの角、ひつじの角、トナカイの角、その他の動物であって角を有す動物を対象とし、亀の甲羅も含まれる。
これら動物の角を材料として用いて切削加工し、フロント部が形成され、ツルを作ることが出来る。ここで、切削加工する為の手段としては特に限定しないが、糸ノコを用いることが出来る。
また、コンピュータで制御されるワイヤーカットや電子ビームを使用することも可能である。
【０００８】
ところで、フロント部の外側部は切断されて切口（スリット）が設けられ、リム部は切口を介して開口し、周長は拡大することが出来る。そこで、この切口が露出しないようにヨロイを取付けて該切口をカバーする。ヨロイは概略Ｌ形をなしてネジ止され、切口が開かないように、該切口を横切る方向に設けたネジにて締め付けている。ここで、ヨロイを取付けるネジは背面側から螺合されるが、正面側からネジ止めすることもある。
【考案の効果】
【０００９】
本考案に係るメガネフレームは、その材質をバッファローの角、ヤギの角、ひつじの角、トナカイの角、又は亀の甲羅を材質としたものであって、非常に高級なメガネフレームと成る。したがって、特別な装飾が無くても、材質だけで高級で特別なフレームとしての効果を表現することが出来る。
そして、この材質で構成されるリム部には周長が拡大するように切口が設けられ、該切口を開口してレンズを嵌めることが出来る。
【００１０】
そして、該切口が表面化しないようにＬ形のヨロイがネジ止にて取付けられ、切口はヨロイの表面部にて被覆される。
ヨロイには継手が設けられ、該継手を介してツルが折畳み出来るように取付けられるが、該ツルの材質は金属製とする場合もあり、また、フロント部と同じようにバッファローの角やベッコウを材質とすることも出来る。
【図面の簡単な説明】
【００１１】
【図１】本考案に係るメガネフレームフロント部の外側部を示す実施例。
【図２】フロント部の外側部に取付けられるヨロイを示す具体例。
【図３】ヨロイをフロント部外側部に取付けた場合の構造。
【図４】従来の一般的な樹脂製のメガネフレーム。
【考案を実施するための形態】
【００１２】
図１は本考案に係るメガネフレームのフロント部１の一部を表している。フロント部１はレンズが嵌るリム部２を有し、該リム部２の外側には外側部３を外方向に延ばして設けている。そして、外側部３の表面には凹溝４が設けられ、凹溝４の底面６には所定の間隔をおいて２つの穴５ａ、５ｂを貫通して設けている。また、外側部３の凹溝４には切口７を設け、外側部３は上下に分離して開くことが出来る。
【００１３】
ところで、リム部２にはレンズが嵌められ、その為に一般的なリムと同じように内周面８には凹溝が沿設され、該凹溝にはレンズ外周に形成している凸部が篏合して外れないように成っている。
このように、リム部２に外周に凸部を形成したレンズを嵌める為に、切口７を開いて開口し、リム部２の周長は拡大する。したがって、レンズは容易にリム部２の内周面８に嵌り、開口を閉じるならばレンズが外れることはない。
【００１４】
このように、本考案のメガネフレームはフロント部１の外側部３の表面には凹溝４、切口７、及び２個の穴５ａ、５ｂが設けられ、このままでは外観が損なわれる。そこで、本考案では概略Ｌ形のヨロイ９を外側部３に取付け、外側部３の外観が損なわれないようにしている。
【００１５】
図２は上記ヨロイ９を表している具体例であり、その形状は概略Ｌ形をなし、表面部１０と側面部１１を有している。ヨロイ９は金属製とし、Ｌ形に曲げ成形され、表面部１０には所定の間隔をおいて２本のネジパイプ１２ａ，１２ｂを後方へ延ばしている。ネジパイプ１２ａ，１２ｂはネジ穴１４ａ、１４ｂを形成し、外側部３に取付けてネジ止めされる。
【００１６】
ヨロイ９は外側部３に設けている凹溝４に表面部１０が嵌合して取付けられ、そして、ネジパイプ１２ａ，１２ｂは外側部３に設けた穴５ａ，５ｂに挿入される。外側部３の背面側からネジ１３ａ，１３ｂを挿入してネジパイプ１２ａ，１２ｂのネジ穴１４ａ、１４ｂに螺合して締め付けられる。したがって、ヨロイ９は外側部３に取付けられ、このヨロイ９には継手を介してツルが連結して折畳み出来る。
【００１７】
ヨロイ９の側面部の先端には継手となる蝶片がロウ付けされ、この蝶片はツル側にロウ付けした蝶片と軸ネジを介して連結される。
上記図２に示したヨロイ９は背面側へネジパイプ１２ａ、１２ｂを延ばして背面側からネジ１３ａ、１３ｂを挿入してネジ止めしているが、ネジをヨロイ９の表面側から挿入することもある。この場合には、外側部３の背面に背面板を設け、この背面板にネジパイプを起立して設け、ヨロイ９の表面部１０から挿入するネジをネジパイプのネジ穴に螺合して締め付けることが可能となる。
【００１８】
さらに、ネジパイプを用いることなく外側部３に貫通した穴５ａ、５ｂを、そしてヨロイ表面部１０にも同じく穴を貫通して設け、表面部１０からネジを挿通して外側部３の背面側に突出したネジにナットを締め付けて固定することもある。
一方、ヨロイの表面部が凹溝に嵌ることで、該凹溝、切口、穴はカバーされるが、切口が開かないように外側部の下側からネジを挿入して締め付けられる。
この場合も、ネジパイプを埋設しておき、ネジを螺合して締め付けることもある。
【符号の説明】
【００１９】
１   フロント部
２   リム部
３   外側部
４   凹溝
５   穴
６   底面
７   切口
８   内周面
９   ヨロイ
10   表面部
11   側面部
12   ネジパイプ
13   ネジ
14   ネジ穴
【図１】
0003232703.tif 000003
【図２】
0003232703.tif 000004
【図３】
0003232703.tif 000005
【図４】
0003232703.tif 000006